(57)【要約】【課題】それぞれの処理に適した露光条件を実現する。【解決手段】撮像装置において、撮像素子１３と、撮像装置において実行する処理内容に応じて、撮像素子１３から複数の同色画素信号を加算して画像信号を読み出す８画素加算モードと、８画素加算モードにおける同色画素信号より少ない加算数で撮像素子１３から複数の同色画素信号を加算して画像信号を読み出す４画素加算モードとを切り替えるモード切替部１０２と、８画素加算モードまたは４画素加算モードに従って、撮像素子１３から画像信号を読み出す読み出し部１０３と、を備える。【選択図】図１
2013093778.tif 000002
【特許請求の範囲】
【請求項１】
撮像装置において、
撮像素子と、
前記撮像装置において実行する処理内容に応じて、前記撮像素子から複数の同色画素信号を加算して画像信号を読み出す第１駆動モードと、前記第１駆動モードにおける同色画素信号より少ない加算数で前記撮像素子から複数の同色画素信号を加算して画像信号を読み出す第２駆動モードとを切り替えるモード切替手段と、
前記第１駆動モードまたは前記第２駆動モードに従って、前記撮像素子から画像信号を読み出す読み出し手段と、
を備えることを特徴とする撮像装置。
【請求項２】
前記モード切替手段は、撮影画角を決定するためのライブビュー表示を実行する場合に前記第１駆動モードに切り替え、焦点調節を実行する場合に前記第２駆動モードに切り替えることを特徴とする請求項１に記載の撮像装置。
【請求項３】
前記モード切替手段は、前記焦点調節の終了後、前記第１駆動モードに切り替えることを特徴とする請求項２に記載の撮像装置。
【請求項４】
前記モード切替手段は、撮影画角を決定するためのライブビュー表示を実行する場合に前記第１駆動モードに切り替え、照明光の測光を実行する場合に前記第２駆動モードに切り替えることを特徴とする請求項１に記載の撮像装置。
【請求項５】
レンズと、
前記レンズが集光した光の入射量を制限する絞り機構と、
前記読み出し手段によって読み出した画像信号を用いて前記絞り機構を調整することで、露光制御および絞り調節を行う調整手段と、をさらに備えることを特徴とする請求項１〜４のいずれか一つに記載の撮像装置。
【請求項６】
撮像装置で実行される信号読み出し方法において、
前記撮像装置において実行する処理内容に応じて、撮像素子から複数の同色画素信号を加算して画像信号を読み出す第１駆動モードと、前記第１駆動モードにおける同色画素信号より少ない加算数で前記撮像素子から複数の同色画素信号を加算して画像信号を読み出す第２駆動モードとを切り替えるモード切替ステップと、
前記第１駆動モードまたは前記第２駆動モードに基づいて、前記撮像素子から画像信号を読み出す読み出しステップと、
を備えることを特徴とする信号読み出し方法。
【発明の詳細な説明】
【技術分野】
【０００１】
本発明は、撮像装置および信号読み出し方法に関する。
【背景技術】
【０００２】
デジタルスチルカメラなどの撮像装置では、撮像素子から入力した映像を液晶モニタや電子ビューファインダを用いたライブビューとして表示する機能が搭載されている。ライブビュー表示機能に対応した撮像素子は、静止画撮影用の駆動モードとは別に、画素混合や間引きによって静止画撮影よりも低い解像度の画像を入力できるライブビュー表示用の駆動モードを設けている。
【０００３】
また、ライブビュー表示時に入力される映像を用いて、レンズのフォーカス位置（焦点の位置）を変えながら入力される映像のコントラストを取得し、焦点調節（コントラスト式オートフォーカス（ＡＦ：Autofocus））を行う機能を搭載した撮像装置が知られている。
【０００４】
しかし、従来のデジタルスチルカメラでは、ライブビュー表示用の撮像素子の駆動方法（駆動モード）が焦点調節に適していない場合があった。例えば、ライブビュー表示時では、被写体の確認を容易にするために被写界深度が深いことが望ましく、そのためには、レンズの絞りを絞っても十分な輝度の映像が得られる高感度の駆動方法が望ましい。一方で、焦点調節時では、被写界深度が浅い方がフォーカス位置毎のコントラストの変化が大きくなり、焦点調節が行いやすくなるので、絞りを開放しても入力される映像の輝度が高くなりすぎないようライブビュー表示用の映像よりも低感度の駆動方法が望ましい。
【０００５】
入力される映像の輝度調整は、入力信号の増幅するアンプ回路や撮像装置の電子シャッタ機能で実現するが、これらを用いても輝度調整の効果が十分ではない場合、ライブビュー表示や焦点調節がうまく行えなかった。
【０００６】
そこで、例えば、焦点調節時において、レンズの被写界深度に合わせてフレームレートと入力画像の解像度とを変更することで、撮像素子の駆動を最適化する撮像装置、撮像方法が開示されている（例えば、特許文献１参照）。
【発明の概要】
【発明が解決しようとする課題】
【０００７】
しかしながら、上記特許文献１の撮像装置、撮像方法では、焦点調節においてもライブビュー表示においても被写界深度自体には変化がないため、焦点調節用により良い被写界深度を得ることができないという問題があった。
【０００８】
また、ライブビュー表示時での撮像素子の駆動方法と同じ駆動方法で、スピードライト（ストロボ）の予備発光を行うと、スピードライトの予備発光時に画素飽和が生じてしまうという問題があった。
【０００９】
このように、撮像装置で行う異なる処理に対して同じ撮像素子の駆動方法を用いると、それぞれの処理に適した露光条件が得られず、求める処理結果が得られない場合があった。
【００１０】
本発明は、上記に鑑みてなされたものであって、撮像装置で処理を行う際に、該処理に応じた画素加算数の撮像素子の駆動方法に切り替えて処理を行うことで、それぞれの処理に適した露光条件を実現できる撮像装置および信号読み出し方法を提供することを目的とする。
【課題を解決するための手段】
【００１１】
上述した課題を解決し、目的を達成するために、本発明は、撮像装置において、撮像素子と、前記撮像装置において実行する処理内容に応じて、前記撮像素子から複数の同色画素信号を加算して画像信号を読み出す第１駆動モードと、前記第１駆動モードにおける同色画素信号より少ない加算数で前記撮像素子から複数の同色画素信号を加算して画像信号を読み出す第２駆動モードとを切り替えるモード切替手段と、前記第１駆動モードまたは前記第２駆動モードに従って、前記撮像素子から画像信号を読み出す読み出し手段と、を備えることを特徴とする。
【００１２】
また、本発明は、撮像装置で実行される信号読み出し方法において、前記撮像装置において実行する処理内容に応じて、撮像素子から複数の同色画素信号を加算して画像信号を読み出す第１駆動モードと、前記第１駆動モードにおける同色画素信号より少ない加算数で前記撮像素子から複数の同色画素信号を加算して画像信号を読み出す第２駆動モードとを切り替えるモード切替ステップと、前記第１駆動モードまたは前記第２駆動モードに基づいて、前記撮像素子から画像信号を読み出す読み出しステップと、を備えることを特徴とする。
【発明の効果】
【００１３】
本発明によれば、撮像装置で処理を行う際に、それぞれの処理に適した露光条件を実現できるという効果を奏する。
【図面の簡単な説明】
【００１４】
【図１】図１は、実施の形態１にかかるデジタルカメラの構成を示す機能ブロック図である。
【図２】図２は、８画素加算モードの説明図である。
【図３】図３は、４画素加算モードの説明図である。
【図４】図４は、本実施の形態にかかるデジタルカメラの状態遷移の説明図である。
【図５】図５は、レリーズボタンが半押しされた場合の処理を説明するフローチャートである。
【図６】図６は、焦点調節動作が終了した場合の処理を説明するフローチャートである。
【図７】図７は、本実施の形態にかかるデジタルカメラの状態遷移の説明図である。
【図８】図８は、レリーズボタンが全押しされた場合の処理を説明するフローチャートである。
【発明を実施するための形態】
【００１５】
（実施の形態１）
以下に添付図面を参照して、撮像装置および信号読み出し方法の実施の形態を詳細に説明する。なお、ここではデジタルスチルカメラ（以下、単に「デジタルカメラ」という。）に本発明を適用した例について説明するが、本発明は、ライブビューを表示する表示部を備えた撮像装置に対して広く適用することができる。
【００１６】
本実施の形態のデジタルカメラは、レリーズボタンの操作に応じて静止画を撮影し記録するものであって、撮影する前に撮像素子から読み出した画像をライブビューとして表示部に表示する。ここで、ライブビューとは、デジタルカメラの使用者が撮影時に被写体を確認しながら撮影できる機能であり、この機能によって使用者は撮影画角を決定することができる。
【００１７】
図１は、実施の形態１にかかるデジタルカメラの構成を示す機能ブロック図である。図１に示すように、本実施の形態のデジタルカメラは、レンズユニット１１と、撮像素子１３と、画像処理ＬＳＩ（Large  Scale  Integration）１４と、ＬＣＤ（Liquid  Crystal  Display）１５と、コントローラ１６と、操作基板１７と、スピードライト１９と、を主に備えている。そして、コントローラ１６と、レンズユニット１１、撮像素子１３、画像処理ＬＳＩ１４、操作基板１７、およびスピードライト１９とは、制御信号線で接続されている。また、画像処理ＬＳＩ１４と、撮像素子１３およびＬＣＤ１５とは、データバスで接続されている。
【００１８】
レンズユニット１１は、不図示のレンズと、絞り機構１２とを備えている。レンズは、光学的に撮像素子１３に画像を結像させる光学部品であり、図示しないアクチュエータの駆動や撮影者の手動操作により光軸方向に移動可能な状態で撮像素子１３の受光面側に設置されている。絞り機構１２は、レンズが集光した光の入射量を制限するものであり、絞り量によって被写界深度と光量とを調節する。
【００１９】
撮像素子１３は、ＣＣＤ（Charge  Coupled  Device）またはＣＭＯＳ（Complementary  Metal  Oxide  Semiconductor）等を用いて構成され、レンズユニット１１が集光した入射光を受光し、光電変換を行うことで画像信号（デジタル信号）を出力する。
【００２０】
画像処理ＬＳＩ１４は、撮像素子１３により出力された画像信号から、コントラストの算出、平均輝度（輝度平均値）や輝度評価値の算出、表示用の画像データを生成する。
【００２１】
ＬＣＤ１５は、文字や画像を表示する液晶画面であり、画像処理ＬＳＩ１４から出力された表示用の画像データを表示する。
【００２２】
操作基板１７は、デジタルカメラの使用者が操作するための各種ボタンとスイッチが備えられた基板であり、レリーズボタン１８を備えている。レリーズボタン１８は、押し込み量によって半押し、全押しの２段階の入力を受け付けるボタンである。
【００２３】
スピードライト１９は、照明光を発光するものであり、例えばキセノンランプまたはＬＥＤ（Light  Emitting  Diode）等により構成されている。
【００２４】
コントローラ１６は、制御プログラムを備えており、レンズユニット１１、撮像素子１３、画像処理ＬＳＩ１４、ＬＣＤ１５、操作基板１７、およびスピードライト１９をそれぞれ接続してシーケンス制御を行う。コントローラ１６は、入力受付部１０１と、モード切替部１０２と、読み出し部１０３と、評価値取得部１０４と、絞り調整部１０５と、焦点調節部１０６と、表示制御部１０７と、発光制御部１０８と、測光部１０９とを主に備えている。
【００２５】
入力受付部１０１は、デジタルカメラの使用者がレリーズボタン１８を半押しまたは全押しした場合に、それらに対応する指示入力を受け付けるものである。本実施の形態では、入力受付部１０１は、レリーズボタン１８が半押しされた場合に焦点調節（オートフォーカス）の指示入力を受け付け、レリーズボタン１８が全押しされた場合に測光の指示入力を受け付ける。
【００２６】
モード切替部１０２は、デジタルカメラで実行する処理内容に応じて、撮像素子１３の駆動モードである、撮像素子１３から８画素の同色画素信号を加算して画像信号を読み出す８画素加算モード（第１駆動モード）と、撮像素子１３から４画素（８画素加算モードにおける同色画素信号より少ない加算数）の同色画素信号を加算して画像信号を読み出す４画素加算モード（第２駆動モード）とを切り替えるものである。
【００２７】
また、モード切替部１０２は、撮影画角を決定するためのライブビュー表示を実行する場合に８画素加算モードに切り替え、焦点調節を実行する場合に４画素加算モードに切り替える。また、本実施の形態のデジタルカメラでは、焦点調節動作が終了するとライブビュー表示に遷移するため（図４参照）、モード切替部１０２は、焦点調節の終了後に、８画素加算モードに切り替えることになる。
【００２８】
以下では、各駆動モードを具体的に説明する。まず、撮像素子１３におけるカラーフィルタの配列について説明する。本実施の形態の撮像素子１３では、ベイヤー配列でカラーフィルタが配置されている。ここで、ベイヤー配列とは、水平方向に赤（Ｒ）の波長を透過するファイルタと緑（Ｇ）の波長を透過するフィルタとが交互に配置されたラインと、緑の波長を透過するフィルタと青（Ｂ）の波長を透過するフィルタとが交互に配置されたラインと、を有し、その２つのラインを垂直方向にも交互に配置することで構成されている。つまり、緑のフィルタが赤や青のフィルタの２倍使用されていることになる（図２、３参照）。
【００２９】
図２は、８画素加算モードの説明図である。図２に示す８画素加算モードは、ライブビュー表示時に切り替えられる駆動モードである。図２に示すように、８画素加算モードでは、撮像素子１３から、垂直方向においては１６ライン毎に２画素分の画素信号を加算し、水平方向においては４ライン分（４画素）の画素信号を加算して読み出すことで、合計８画素分の画素信号を加算して読み出した画像信号を出力する。従って、撮像素子１３から全画素の画素信号を読み出す場合と比較して、垂直方向は１／１６、水平方向は１／４の解像度の映像が出力されることになる。また、間引きによる画像信号の読み出しと比較して、８個の画素の画素信号の和を画像信号として出力するため、感度が向上する。
【００３０】
図３は、４画素加算モードの説明図である。図３に示す４画素加算モードは、焦点調節時に切り替えられる駆動モードである。図３に示すように、４画素加算モードでは、撮像素子１３から、垂直方向においては１６ライン毎に１画素分の画素信号を加算し、水平方向においては４ライン分（４画素）の画素信号を加算して読み出すことで、合計４画素分の画素信号を加算して読み出した画像信号を出力する。従って、解像度は前述の８画素加算モードと同じままで、撮像素子１３から全画素の画素信号を読み出す場合と比較して、垂直方向は１／１６、水平方向は１／４の解像度の映像が出力されることになる。また、８画素加算モードと比較すると、画素加算数が半分になるため、画素の飽和が起こりにくく、８画素加算モードより低感度の画像信号を出力することができる。
【００３１】
読み出し部１０３は、モード切替部１０２により切り替えられた８画素加算モードまたは４画素加算モードに従って、撮像素子１３から画像信号を読み出すものである。
【００３２】
評価値取得部１０４は、読み出し部１０３により読み出された画像信号から算出された輝度評価値を取得する。輝度評価値は、デジタルカメラの測光方法により、入力画像の一部、画像全体などの領域の画素の輝度平均を使用したものである。
【００３３】
絞り調整部１０５は、読み出し部１０３によって読み出した画像信号と、評価値取得部１０４により取得した輝度評価値を用いて、レンズユニット１１の絞り機構１２を調整し、露光制御および絞り調節を行うものである。
【００３４】
具体的には、絞り調整部１０５は、４画素加算モードに切り替えられた場合、ライブビュー表示に切り替えられる８画素加算モードよりも低感度のため、絞り機構１２の絞りは開放する方向に調整する。これにより焦点調節に適した浅い被写界深度が得られる。一方、８画素加算モードに切り替えられた場合、焦点調節時に切り替えられる４画素加算モードよりも高感度のため、絞り機構１２の絞りは絞る方向に調整する。これによりライブビュー表示に適した深い被写界深度が得られる。従って、デジタルカメラで各処理（ライブビュー表示処理、焦点調節処理）を行う際に、それぞれの処理に適した露光条件を実現できる。
【００３５】
焦点調節部１０６は、レリーズボタン１８が半押しされ、入力受付部１０１により焦点調節の指示入力を受け付けた場合、レンズから撮像される画像の焦点を調節するものである。
【００３６】
表示制御部１０７は、画像処理ＬＳＩ１４で生成された画像データをライブビューやその他の映像としてＬＣＤ１５に表示する制御を行う。
【００３７】
発光制御部１０８は、デジタルカメラが撮像する視野領域へ向けてスピードライト１９の照明光を発光する。また、発光制御部１０８は、スピードライト１９の予備発光を行う。ここで、予備発光とは、暗所での撮影時に発生する赤目現象を抑えるため、撮影の前にあらかじめ数回の発光を行う機能のことである。
【００３８】
測光部１０９は、露出（絞り値とシャッター速度の組み合わせ）を決めるために、スピードライト１９により発光された光（予備発光の光）を用いて、被写体の明るさ（被写体に当たっている光の量）を測定する測光を行うものである。測光部１０９は、レリーズボタン１８が全押しされ、入力受付部１０１により測光の指示入力を受け付けた場合に、測光を行う。
【００３９】
次に、本実施の形態のデジタルカメラにおけるライブビュー表示と焦点調節の状態遷移について説明する。図４は、本実施の形態にかかるデジタルカメラの状態遷移の説明図である。
【００４０】
まず、デジタルカメラの電源スイッチがオンにされると、ライブビューが表示される。そして、図４に示すように、表示制御部１０７によるライブビュー表示状態（ステップＳ１）のときに、入力受付部１０１によりレリーズボタン１８の半押し（焦点調節の指示入力）を受け付けると（ステップＳ２）、焦点調節部１０６による焦点調節（オートフォーカス）状態（ステップＳ３）に遷移する。また、焦点調節動作が終了すると（ステップＳ４）、再度、表示制御部１０７によるライブビュー状態へと戻ることになる。
【００４１】
次に、レリーズボタン１８が半押しされた場合、すなわち、焦点調節を実行する場合の処理について説明する。図５は、レリーズボタンが半押しされた場合の処理を説明するフローチャートである。
【００４２】
まず、入力受付部１０１は、レリーズボタン１８の半押しを受け付けたか否かを判断し（ステップＳ１１）、受け付けていない場合（ステップＳ１１：Ｎｏ）、そのまま待機する。一方、受け付けた場合（ステップＳ１１：Ｙｅｓ）、モード切替部１０２は、撮像素子１３の駆動モードを４画素加算モードに切り替える（ステップＳ１２）。そして、読み出し部１０３は、４画素加算モードに従って、撮像素子１３から４画素分の画像信号を読み出す（ステップＳ１３）。
【００４３】
次に、評価値取得部１０４は、読み出された画像信号から算出された輝度評価値を取得する（ステップＳ１４）。そして、絞り調整部１０５は、取得した輝度評価値を用いて、レンズユニット１１の絞り機構１２を調整する（ステップＳ１５）。このとき、４画素加算モードはライブビュー表示時に切り替えられる８画素加算モードよりも低感度のため、絞り機構１２の絞りは開放する方向に調整される。これにより焦点調節に適した浅い被写界深度が得られる。そして、焦点調節部１０６は、レンズから撮像される画像の焦点調節を行う（ステップＳ１６）。
【００４４】
次に、焦点調節動作が終了した場合の処理について説明する。図６は、焦点調節動作が終了した場合の処理を説明するフローチャートである。
【００４５】
まず、モード切替部１０２は、焦点調節部１０６による焦点調節動作が終了したか否かを判断し（ステップＳ３１）、終了していない場合（ステップＳ３１：Ｎｏ）、そのまま待機する。一方、終了した場合（ステップＳ３１：Ｙｅｓ）、モード切替部１０２は、撮像素子１３の駆動モードを８画素加算モードに切り替える（ステップＳ３２）。そして、読み出し部１０３は、８画素加算モードに従って、撮像素子１３から８画素分の画像信号を読み出す（ステップＳ３３）。
【００４６】
次に、評価値取得部１０４は、読み出された画像信号から算出された輝度評価値を取得する（ステップＳ３４）。そして、絞り調整部１０５は、取得した輝度評価値を用いて、レンズユニット１１の絞り機構１２を調整する（ステップＳ３５）。このとき、８画素加算モードは焦点調節時に切り替えられる４画素加算モードよりも高感度のため、絞り機構１２の絞りは絞る方向に調整される。これによりライブビュー表示に適した深い被写界深度が得られる。そして、表示制御部１０７は、ＬＣＤ１５にライブビューを表示する（ステップＳ３６）。
【００４７】
このように、本実施の形態のデジタルカメラでは、焦点調節処理を行う場合に４画素加算モードに切り替えることで、低感度の画像を表示できるため、絞り機構１２の絞りを開放し、焦点調節に適した浅い被写界深度が得られる。一方、ライブビュー表示処理を行う場合に８画素加算モードに切り替えることで、高感度の画像を表示できるため、絞り機構１２の絞りを絞り、ライブビュー表示に適した深い被写界深度が得られる。このため、本実施の形態のデジタルカメラで各処理（ライブビュー表示処理、焦点調節処理）を行う際に、それぞれの処理に適した露光条件を実現できる。
【００４８】
（実施の形態２）
実施の形態１のデジタルカメラは、焦点調節処理を行う場合に４画素加算モードに切り替え、ライブビュー表示処理を行う場合に８画素加算モードに切り替えるものであった。これに対し、本実施の形態のデジタルカメラは、スピードライトの測光処理を行う場合に４画素加算モードに切り替え、ライブビュー表示処理を行う場合に８画素加算モードに切り替えるものである。これにより、スピードライトの予備発光による調光動作を改善している。
【００４９】
まず、実施の形態２にかかるデジタルカメラの構成は、実施の形態１にかかるデジタルカメラの構成と同様であるため、図１を参照して説明する。なお、以下では、実施の形態１と異なる構成のみ説明する。
【００５０】
モード切替部１０２は、デジタルカメラで実行する処理内容に応じて、撮像素子１３の駆動モードである、撮像素子１３から８画素の同色画素信号を加算して画像信号を読み出す８画素加算モード（第１駆動モード）と、撮像素子１３から４画素（８画素加算モードにおける同色画素信号より少ない加算数）の同色画素信号を加算して画像信号を読み出す４画素加算モード（第２駆動モード）とを切り替えるものである。
【００５１】
また、モード切替部１０２は、撮影画角を決定するためのライブビュー表示を実行する場合に８画素加算モードに切り替え、スピードライトの測光を実行する場合に４画素加算モードに切り替える。ここで、４画素加算モードおよび８画素加算モードの詳細は、実施の形態１と同様であるため説明を省略する（図２、３参照）。
【００５２】
次に、本実施の形態のデジタルカメラにおけるライブビュー表示とスピードライトの測光の状態遷移について説明する。図７は、本実施の形態にかかるデジタルカメラの状態遷移の説明図である。
【００５３】
まず、デジタルカメラの電源スイッチがオンにされると、ライブビューが表示される。そして、図７に示すように、表示制御部１０７によるライブビュー表示状態（ステップＳ５）のときに、入力受付部１０１によりレリーズボタン１８の全押し（測光の指示入力）を受け付けると（ステップＳ６）、測光部１０９によるスピードライトの測光状態（ステップＳ７）に遷移する。
【００５４】
次に、レリーズボタン１８が全押しされた場合、すなわち、スピードライト１９の測光を実行する場合の処理について説明する。図８は、レリーズボタンが全押しされた場合の処理を説明するフローチャートである。
【００５５】
まず、入力受付部１０１は、レリーズボタン１８の全押しを受け付けたか否かを判断し（ステップＳ５１）、受け付けていない場合（ステップＳ５１：Ｎｏ）、そのまま待機する。一方、受け付けた場合（ステップＳ５１：Ｙｅｓ）、モード切替部１０２は、撮像素子１３の駆動モードを４画素加算モードに切り替える（ステップＳ５２）。そして、読み出し部１０３は、４画素加算モードに従って、撮像素子１３から４画素分の画像信号を読み出す（ステップＳ５３）。
【００５６】
次に、発光制御部１０８は、スピードライト１９の予備発光を行い（ステップＳ５４）、測光部１０９は、スピードライト１９により発光された光を用いて測光を行う（ステップＳ５５）。このとき、４画素加算モードはライブビュー表示時に切り替えられる８画素加算モードよりも低感度のため、スピードライト１９の予備発光時の画素飽和を軽減することができる。
【００５７】
ライブビューの表示は、デジタルカメラの電源スイッチがオンにされた場合、スピード処理の測光が実行された後に実行され、ライブビュー表示処理を行う際に８画素加算モードへの切り替えた場合の処理については、実施の形態１と同様である（図６のステップＳ３２〜３６参照）。
【００５８】
このように、本実施の形態のデジタルカメラでは、スピードライト１９の予備発光処理を行う場合に４画素加算モードに切り替えることで、低感度の画像を表示できるため、スピードライト１９の予備発光時の画素飽和を軽減することができる。一方、ライブビュー表示処理を行う場合に８画素加算モードに切り替えることで、高感度の画像を表示できるため、絞り機構１２の絞りを絞り、ライブビュー表示に適した深い被写界深度が得られる。このため、本実施の形態のデジタルカメラで各処理（ライブビュー表示処理、スピードライト１９の予備発光処理）を行う際に、それぞれの処理に適した露光条件を実現できる。
【符号の説明】
【００５９】
１１  レンズユニット
１２  絞り機構
１３  撮像素子
１４  画像処理ＬＳＩ
１５  ＬＣＤ
１６  コントローラ
１７  操作基板
１８  レリーズボタン
１９  スピードライト
１０１  入力受付部
１０２  モード切替部
１０３  読み出し部
１０４  評価値取得部
１０５  絞り調整部
１０６  焦点調節部
１０７  表示制御部
１０８  発光制御部
１０９  測光部
【先行技術文献】
【特許文献】
【００６０】
【特許文献１】特開２０１０−１８７２２５号公報
【図１】
2013093778.tif 000003
【図２】
2013093778.tif 000004
【図３】
2013093778.tif 000005
【図４】
2013093778.tif 000006
【図５】
2013093778.tif 000007
【図６】
2013093778.tif 000008
【図７】
2013093778.tif 000009
【図８】
2013093778.tif 000010